(57)【要約】【課題】空いている通信リソースを効率的に使用することで大容量のデータ通信を可能とする通信システム、基地局装置、端末装置、及び通信制御方法を提供する。【解決手段】端末１０及び基地局２０は、時分割多重した複数のスロットを含むフレームを単位として無線信号を送受信して通信を行う。端末装置１０の制御部１４は、送信するデータ量が所定量以上である場合に、基地局２０に対してフレームに含まれるスロットの複数の使用を要求する要求信号を発生する。基地局２０の制御部２４は、端末１０から要求信号が送信されてきた場合に、フレームに含まれるスロットの複数の使用を許可するか否かを決定する。【選択図】図１
2008035212.tif 000002
【特許請求の範囲】
【請求項１】
時分割多重した複数のスロットを含むフレームを単位として端末装置と基地局装置との間で無線信号を送受信して通信を行う通信システムにおいて、
前記端末装置は、送信するデータ量が所定量以上である場合に、前記基地局装置に対して前記フレームに含まれる前記スロットの複数の使用を要求する要求信号を発生する制御部と、
前記基地局装置は、前記端末装置から前記要求信号が送信されてきた場合に、前記フレームに含まれる前記スロットの複数の使用を許可するか否かを決定する決定部を備える
ことを特徴とする通信システム。
【請求項２】
前記端末装置は、前記フレームに含まれる前記スロットの使用状況を判定する判定部を備えており、
前記制御部は、前記判定部により空きスロットがあると判定されたときに、前記要求信号を発生する
ことを特徴とする請求項１記載の通信システム。
【請求項３】
前記基地局装置は、前記フレームに含まれる前記スロットの使用状況を判定する判定部を備えており、
前記決定部は、前記判定部により空きスロットがあると判定されたときに、前記フレームに含まれる前記スロットの複数の使用を許可する決定を行う
ことを特徴とする請求項１記載の通信システム。
【請求項４】
前記基地局装置毎の前記フレーム中における前記スロットの使用状況を示す統計情報を記録する統計情報記録装置を備えており、
前記基地局装置の決定部は、前記統計情報記録装置に記録された前記統計情報に基づいて、前記端末装置によって複数の前記スロットが使用されるフレームの連続数を決定する
ことを特徴とする請求項１から請求項３の何れか一項に記載の通信システム。
【請求項５】
前記統計情報記録装置は、前記統計情報を時間帯毎に記録することを特徴とする請求項４記載の通信システム。
【請求項６】
時分割多重した複数のスロットを含むフレームを単位として端末装置との間で無線信号を送受信して通信を行う基地局装置において、
前記端末装置から、前記フレームに含まれる前記スロットの複数の使用を要求する要求信号が送信されてきた場合に、前記フレームに含まれる前記スロットの複数の使用を許可するか否かを決定する決定部を備えることを特徴とする基地局装置。
【請求項７】
前記フレームに含まれる前記スロットの使用状況を判定する判定部を備えており、
前記決定部は、前記判定部により空きスロットがあると判定されたときに、前記フレームに含まれる前記スロットの複数の使用を許可する決定を行う
ことを特徴とする請求項６記載の基地局装置。
【請求項８】
前記決定部は、前記フレーム中における前記スロットの使用状況を示す統計情報を記録する統計情報記録装置に記録された前記統計情報に基づいて、前記端末装置によって複数の前記スロットが使用されるフレームの連続数を決定することを特徴とする請求項６又は請求項７記載の基地局装置。
【請求項９】
時分割多重した複数のスロットを含むフレームを単位として基地局装置との間で無線信号を送受信して通信を行う端末装置において、
送信するデータ量が所定量以上である場合に、前記基地局装置に対して前記フレームに含まれる前記スロットの複数の使用を要求する要求信号を発生する制御部を備えることを特徴とする端末装置。
【請求項１０】
前記フレームに含まれる前記スロットの使用状況を判定する判定部を備えており、
前記制御部は、前記判定部により空きスロットがあると判定されたときに、前記要求信号を発生する
ことを特徴とする請求項９記載の端末装置。
【請求項１１】
時分割多重した複数のスロットを含むフレームを単位として端末装置との間で無線信号を送受信して通信を行う通信システムに用いる通信制御方法であって、
前記端末装置が、送信するデータ量が所定量以上である場合に、前記基地局装置に対して前記フレームに含まれる前記スロットの複数の使用を要求するステップと、
前記基地局装置が、前記フレームに含まれる前記スロットの複数の使用を許可するか否かを決定するステップと
を含むことを特徴とする通信制御方法。
【発明の詳細な説明】
【技術分野】
【０００１】
本発明は、時分割多重した複数のスロットを含むフレームを単位として端末装置と基地局との間で無線信号を送受信して通信を行う通信システム、基地局装置、端末装置、及び通信制御方法に関する。
【背景技術】
【０００２】
ＰＨＳやＰＤＣ等のディジタル式移動電話システムが通信を行うために割り当てられている周波数には限りがあり、限られた周波数を、多くのユーザで有効利用するために時分割多重接続方式（ＴＤＭＡ方式）が用いられている。
【０００３】
ＰＨＳを例に挙げると、一つの周波数チャネルは多重化数が「４」に設定されており、基地局装置から端末装置に向かう下り回線に４スロット、端末装置から基地局装置に向かう上り回線に４スロットが割り当てられている。端末装置及び基地局装置は、下り回線の４スロット及び上り回線の４スロットの合計８スロットを１つのフレームとして周期的に送受信することにより通信を行っている。以下の特許文献１には、複数のスロットを結合してあたかも１つのスロットとして用いることで、データ伝送の効率化を図る技術が開示されている。
【特許文献１】特開２００１−２３１０７３号公報
【発明の開示】
【発明が解決しようとする課題】
【０００４】
ところで、近年においては、音声通信以外にデータ通信が可能な端末装置が一般化しており、端末装置を用いた電子メールの送受信が頻繁に行われている。また、ブラウザを実装した端末装置も実現されており、インターネットを介した端末装置からのサイトの閲覧（ブラウジング）も行われている。更に、端末装置に付属しているカメラ機能を用いて撮影された動画の送受信も行われている。かかる状況下において、データの送受信が短時間で行えるよう、ユーザからは大容量のデータ通信が要望されており、音声通信を主目的として開発されたＰＨＳ等の端末装置でも大容量のデータ通信が要求されている。
【０００５】
しかしながら、ＰＨＳで用いられているＴＤＭＡ方式においては、１フレーム中では下り回線に用いる１スロットと上り回線に用いる１スロットとの合計２スロットしか使用できないという制約がある。かかる制約が設けられているのは、元来ＰＨＳが音声通信用を可能とするために開発されたものだからである。このため、基地局に接続されている端末装置の数が少なく、端末装置と基地局との間での通信量（トラフィック）が少ない場合であっても、１つの端末装置は、１フレーム中において下り回線の１スロットと上り回線の１スロットとの合計２スロットしか使用できず、通信リソースを効率的に活用しているとは言い難い状況であった。
【０００６】
本発明は、上記事情に鑑みてなされたものであり、空いている通信リソースを効率的に使用することで大容量のデータ通信を可能とする通信システム、基地局装置、端末装置、及び通信制御方法を提供することを目的とする。
【課題を解決するための手段】
【０００７】
上記課題を解決するために、本発明の通信システムは、時分割多重した複数のスロットを含むフレームを単位として端末装置と基地局装置との間で無線信号を送受信して通信を行う通信システムにおいて、前記端末装置は、送信するデータ量が所定量以上である場合に、前記基地局装置に対して前記フレームに含まれる前記スロットの複数の使用を要求する要求信号を発生する制御部と、前記基地局装置は、前記端末装置から前記要求信号が送信されてきた場合に、前記フレームに含まれる前記スロットの複数の使用を許可するか否かを決定する決定部を備えることを特徴としている。
また、本発明の通信システムは、前記端末装置が、前記フレームに含まれる前記スロットの使用状況を判定する判定部を備えており、前記制御部は、前記判定部により空きスロットがあると判定されたときに、前記要求信号を発生することを特徴としている。
また、本発明の通信システムは、前記基地局装置が、前記フレームに含まれる前記スロットの使用状況を判定する判定部を備えており、前記決定部は、前記判定部により空きスロットがあると判定されたときに、前記フレームに含まれる前記スロットの複数の使用を許可する決定を行うことを特徴としている。
また、本発明の通信システムは、前記基地局装置毎の前記フレーム中における前記スロットの使用状況を示す統計情報を記録する統計情報記録装置を備えており、前記基地局装置の決定部は、前記統計情報記録装置に記録された前記統計情報に基づいて、前記端末装置によって複数の前記スロットが使用されるフレームの連続数を決定することを特徴としている。
ここで、また、本発明の通信システムは、前記統計情報記録装置が、前記統計情報を時間帯毎に記録することを特徴としている。
上記課題を解決するために、本発明の基地局装置は、時分割多重した複数のスロットを含むフレームを単位として端末装置との間で無線信号を送受信して通信を行う基地局装置において、前記端末装置から、前記フレームに含まれる前記スロットの複数の使用を要求する要求信号が送信されてきた場合に、前記フレームに含まれる前記スロットの複数の使用を許可するか否かを決定する決定部を備えることを特徴としている。
また、本発明の基地局装置は、前記フレームに含まれる前記スロットの使用状況を判定する判定部を備えており、前記決定部は、前記判定部により空きスロットがあると判定されたときに、前記フレームに含まれる前記スロットの複数の使用を許可する決定を行うことを特徴としている。
更に、本発明の基地局装置は、前記決定部が、前記フレーム中における前記スロットの使用状況を示す統計情報を記録する統計情報記録装置に記録された前記統計情報に基づいて、前記端末装置によって複数の前記スロットが使用されるフレームの連続数を決定することを特徴としている。
上記課題を解決するために、本発明の端末装置は、時分割多重した複数のスロットを含むフレームを単位として基地局装置との間で無線信号を送受信して通信を行う端末装置において、送信するデータ量が所定量以上である場合に、前記基地局装置に対して前記フレームに含まれる前記スロットの複数の使用を要求する要求信号を発生する制御部を備えることを特徴としている。
また、本発明の端末装置は、前記フレームに含まれる前記スロットの使用状況を判定する判定部を備えており、前記制御部は、前記判定部により空きスロットがあると判定されたときに、前記要求信号を発生することを特徴としている。
上記課題を解決するために、本発明の通信制御方法は、時分割多重した複数のスロットを含むフレームを単位として端末装置との間で無線信号を送受信して通信を行う通信システムに用いる通信制御方法であって、前記端末装置が、送信するデータ量が所定量以上である場合に、前記基地局装置に対して前記フレームに含まれる前記スロットの複数の使用を要求するステップと、前記基地局装置が、前記フレームに含まれる前記スロットの複数の使用を許可するか否かを決定するステップとを含むことを特徴としている。
【発明の効果】
【０００８】
本発明によれば、端末装置が基地局に対してフレームに含まれるスロットの複数の使用を要求する要求信号を送信し、基地局でフレームに含まれるスロットの複数の使用許可がなされた場合に、端末装置が複数のスロットを用いて基地局にデータを送信しているため、空きの通信リソースを効率的に使用することができ、この結果として大容量なデータ通信を可能とすることができるという効果がある。
【発明を実施するための最良の形態】
【０００９】
以下、図面を参照して本発明の一実施形態による通信システム、基地局装置、端末装置、及び通信制御方法について詳細に説明する。図１は、本発明の一実施形態による通信システム、基地局装置、及び端末装置の構成を示すブロック図である。図１に示す通り、本実施形態の通信システムは、端末装置（以下、端末という）１０、基地局装置（以下、基地局という）２０、及びサーバ３０（統計情報記録装置）を備えている。尚、基地局２０は、例えば一定の距離間隔で複数設けられているが、図１では図示の簡略化のために１つの基地局２０のみを図示している。また、以下の説明では、本実施形態の通信システムがＰＨＳである場合を例に挙げて説明する。
【００１０】
端末１０は、無線部１１、変復調部１２、キャリアセンス判定部１３（判定部）、制御部１４、操作部１５、及び表示部１６等を備えている。無線部１１は、時分割多重接続方式により基地局２０との間で無線信号を送受信して通信を行う。具体的にはフレームを単位として基地局２０との間で無線信号を周期的に送受信することにより基地局２０との間で通信を行う。
【００１１】
図２は、無線信号を送受信する単位であるフレームの構成を示す図である。図２に示す通り、１つのフレームは、基地局２０から端末１０に向かう下り回線の時分割多重された４つのスロットＳＬ１１〜ＳＬ１４からなるスロット群ＳＬ１と、端末１０から基地局２０に向かう上り回線の時分割多重された４スロットＳＬ２１〜ＳＬ２４からなるスロット群ＳＬ２とを含み、合計８つのスロットからなる。尚、スロット群ＳＬ１の先頭のスロットＳＬ１１とスロット群ＳＬ２の先頭のスロットＳＬ２１は、端末１０と基地局２０との間で制御情報の送受信を行うために用いられる。
【００１２】
変復調部１２は、無線部１１で受信された信号を復調して復調信号を制御部１４に出力するとともに、制御部１４から出力されるデータ（送信すべきデータ）を変調して無線部１１に出力する。キャリアセンス判定部１３は、１フレーム中の上り回線用のスロット群ＳＬ２のうち、データ送信に用いることができるスロットＳＬ２２〜ＳＬ２４（図２参照）の使用状況を判定する。
【００１３】
制御部１４は、端末１０の全体的な動作を統括的に制御する。具体的には、例えば、キャリアセンス判定部１３でスロットＳＬ２２〜ＳＬ２４のうちの複数のスロットに空きがあると判定された場合には、基地局２０に対して１フレームに含まれるスロット群ＳＬ２のうちの空きのある複数のスロットの使用を要求する要求信号を発生する。また、この要求信号に対して送信されてきた基地局２０からの制御信号に基づいた送信制御を行う。つまり、上記の要求信号に対して基地局２０が複数のスロットの使用を許可した場合には、複数のスロットを用いたデータの送信制御を行う。
【００１４】
操作部５８は、通話キー、終話キー、テンキー、ソフトキー等の各種の操作キーを含んで構成されており、ユーザによる操作内容に応じた信号を制御部１４に出力する。表示部１６は、例えば液晶表示装置を備えており、制御部１４から出力される信号に基づいた表示を行う。尚、図示は省略しているが、端末１０には、ユーザの音声を入力するためのマイクロフォン、ユーザの通話相手の声を発音するためのスピーカ等が設けられている。
【００１５】
基地局２０は、無線部２１、変復調部２２、キャリアセンス判定部２３（判定部）、制御部２４（決定部）、統計情報取得部２５、及びデータ入出力部２６等を備えている。無線部２１は複数設けられており、各々が時分割多重接続方式により端末１０（或いは、図示しない他の複数の端末）との間で無線信号を送受信して通信を行う。変復調部２２は、無線部２１の各々で受信された信号を復調して復調信号を制御部２４に出力するとともに、制御部２４から出力されるデータ（送信すべきデータ）を変調して無線部２１の何れかに出力する。
【００１６】
キャリアセンス判定部２３は、１フレーム中の上り回線用のスロット群ＳＬ２のうち、データ送信に用いることができるスロットＳＬ２２〜ＳＬ２４（図２参照）の使用状況を判定する。また、キャリアセンス判定部２３は、上り回線のみならず、１フレーム中の下り回線用のスロット群ＳＬ１のうち、データ送信に用いることができるスロットＳＬ１２〜ＳＬ１４（図２参照）の使用状況を判定するようにしてもよい。
【００１７】
制御部２４は、基地局２０の全体的な動作を統括的に制御する。具体的には、例えば、端末１０から前述した要求信号が送信されてきたときに、端末１０に対して１フレームに含まれる複数スロットの使用の許可を決定する制御を行う。或いは、端末１０から前述した要求信号が送信されてきたときに、キャリアセンス判定部２３の判定結果に基づいて端末１０に対して１フレームに含まれる複数スロットの使用を許可するか否かを決定する制御を行う。更に、制御部２４は、サーバ３０に記録されている基地局毎のフレーム中におけるスロットの使用状況を示す統計情報に基づいて、端末１０によって複数のスロットが使用されるフレームの連続数を決定する制御を行う。尚、以下では、複数のスロットが使用されるフレームが連続される期間を「連続通信可能区間」という。
【００１８】
統計情報取得部２５は、キャリアセンス判定部２３の判定結果に基づいて、基地局２０についてのフレーム中におけるスロットの使用状況を示す統計情報を取得する。統計情報取得部２５は、この統計情報を時間帯毎に取得する。データ入出力部２６は、基地局２０をネットワークＮに接続するものであり、基地局２０からネットワークＮへ送信されるべきデータをネットワークＮに出力し、ネットワークＮを介して送信されてきたデータを入力する。サーバ３０は、ネットワークＮに接続されており、基地局２０の各々から送信される統計情報を記録装置３１に記録する。
【００１９】
次に、上記構成の通信システムにおける動作について説明する。尚、本実施形態では、１フレーム中の複数のスロットが使用可能であるか否かを判定するキャリアセンスを端末１０側及び基地局２０の双方で行うことが可能であるため、端末１０側でキャリアセンスを行う場合の動作を第１動作例として説明し、基地局２０側でキャリアセンスを行う場合の動作を第２動作例として説明する。
【００２０】
〔第１動作例〕
図３は、本発明の通信システムの第１動作例を示すフローチャートである。端末１０のユーザが操作部１５を操作してデータの送信を指示すると、図３のフローチャートが開始される。データ送信が開始されると、まず制御部１４は送信すべきデータのデータ量を確認し（ステップＳ１１）、このデータ量が予め設定された閾値よりも大きいか否かを判断する（ステップＳ１２）。
【００２１】
送信すべきデータ量が予め設定された閾値以下である場合（ステップＳ１２の判断結果が「ＮＯ」である場合）には、端末１０は通常のＴＤＭＡ通信を行って基地局２０に対してデータを送信する（ステップＳ１３）。尚、ここにいう通常のＴＤＭＡ通信とは、図２に示す１つのフレームＦ内の１つのスロット（例えば、スロットＳＬ２２）のみを用いてデータ送信を行うことをいう。次いで、端末１０の制御部１４は、送信すべき全データの送信が終了したか否かを判断し（ステップＳ１４）、終了したと判断した場合（判断結果が「ＹＥＳ」である場合）には一連の処理が終了し、終了していないと判断した場合（判断結果が「ＮＯ」である場合）にはステップＳ１１の処理に戻る。
【００２２】
一方、ステップＳ１２において、送信すべきデータ量が予め設定された閾値よりも大である場合（判断結果が「ＹＥＳ」である場合）には、端末１０に設けられたキャリアセンス判定部１３は、キャリアセンスを実行して、１フレーム中の上り回線用のスロット群ＳＬ２のうち、データ送信に用いることができるスロットＳＬ２２〜ＳＬ２４（図２参照）の使用状況を判定する（ステップＳ１５）。
【００２３】
キャリアセンス判定部１３の判定結果は制御部１４に出力され、この判定結果に基づいて制御部１４は他のユーザ（他の端末）の有無を判断する（ステップＳ１６）。例えば、１フレーム中の上り回線用のスロット群ＳＬ２のうち、データ送信に用いることができるスロットＳＬ２２〜ＳＬ２４の１つ又は複数が使用されている場合には、他のユーザが居ると判断する。
【００２４】
他のユーザが居ると判断した場合（ステップＳ１６の判断結果が「ＮＯ」である場合）には、端末１０は通常のＴＤＭＡ通信を行って基地局２０に対してデータを送信し（ステップＳ１３）、その後に制御部１４が送信すべき全データの送信が終了したか否かを判断する（ステップＳ１４）。そして、終了したと判断した場合（判断結果が「ＹＥＳ」である場合）には一連の処理が終了し、終了していないと判断した場合（判断結果が「ＮＯ」である場合）にはステップＳ１１の処理に戻る。
【００２５】
これに対し、他のユーザが居ないと判断した場合（ステップＳ１６の判断結果が「ＹＥＳ」である場合）には、制御部１４は、基地局２０に対して１フレームに含まれるスロット群ＳＬ２のうちの空きのある複数のスロットの使用を要求する要求信号を発生する。この要求信号は変復調部１２及び無線部１１を介して基地局２０に送信される（ステップＳ１７）。
【００２６】
端末１０からの要求信号は、基地局２０の無線部２１及び変復調部２２を介して制御部２４に入力され、制御部２４は端末１０による複数スロットの使用許可を決定する（ステップＳ１８）。次に、制御部２４は、ネットワークＮを介して、基地局２０についてのフレーム中におけるスロットの使用状況を示す統計情報の取得要求を送信してサーバ３０から統計情報を取得する（ステップＳ１９）。
【００２７】
制御部２４は、取得した統計情報に基づいて、連続通信可能区間を決定する（ステップＳ２０）。例えば、統計情報に基づいて１フレーム中におけるスロットの使用率が高い時間帯である場合には短めの連続通信可能区間を決定し、使用率が低い時間帯である場合には長めの連続通信可能区間を決定する。以上の処理を終えると、制御部２４はステップＳ１８，Ｓ２０で決定した情報を端末１０に向けて送信する（ステップＳ２１）。
【００２８】
基地局２０から送信された情報を受信すると、端末１０の制御部１４は、基地局２０で決定された連続通信可能区間内で、１フレーム中の複数のスロットを用いて基地局２０に対してデータを送信する（ステップＳ２２）。次いで、端末１０の制御部１４は、送信すべき全データの送信が終了したか否かを判断し（ステップＳ１４）、終了したと判断した場合（判断結果が「ＹＥＳ」である場合）には一連の処理が終了し、終了していないと判断した場合（判断結果が「ＮＯ」である場合）にはステップＳ１１の処理に戻る。
【００２９】
〔第２動作例〕
図４は、本発明の通信システムの第２動作例を示すフローチャートである。第１動作例と同様に、端末１０のユーザが操作部１５を操作してデータの送信を指示すると、図４のフローチャートが開始される。データ送信が開始されると、まず制御部１４は送信すべきデータのデータ量を確認し（ステップＳ３１）、このデータ量が予め設定された閾値よりも大きいか否かを判断する（ステップＳ３２）。
【００３０】
送信すべきデータ量が予め設定された閾値以下である場合（ステップＳ３２の判断結果が「ＮＯ」である場合）には、端末１０は通常のＴＤＭＡ通信を行って基地局２０に対してデータを送信する（ステップＳ３３）。次いで、端末１０の制御部１４は、送信すべき全データの送信が終了したか否かを判断し（ステップＳ３４）、終了したと判断した場合（判断結果が「ＹＥＳ」である場合）には一連の処理が終了し、終了していないと判断した場合（判断結果が「ＮＯ」である場合）にはステップＳ３１の処理に戻る。
【００３１】
一方、ステップＳ３２において、送信すべきデータ量が予め設定された閾値よりも大である場合（判断結果が「ＹＥＳ」である場合）には、端末１０の制御部１４は、基地局２０に対して要求信号を発生する。この要求信号は変復調部１２及び無線部１１を介して基地局２０に送信される（ステップＳ３５）。
【００３２】
端末１０からの要求信号は、基地局２０の無線部２１及び変復調部２２を介して制御部２４に入力され、まず基地局２０に設けられたキャリアセンス判定部２３がキャリアセンスを実行して、１フレーム中の上り回線用のスロット群ＳＬ２のうち、データ送信に用いることができるスロットＳＬ２２〜ＳＬ２４（図２参照）の使用状況を判定する（ステップＳ３６）。
【００３３】
キャリアセンス判定部２３の判定結果は制御部２４に出力され、この判定結果に基づいて制御部２４は他のユーザ（他の端末）の有無を判断する（ステップＳ３７）。例えば、１フレーム中の上り回線用のスロット群ＳＬ２のうち、データ送信に用いることができるスロットＳＬ２２〜ＳＬ２４の１つ又は複数が使用されている場合には、他のユーザが居ると判断する。
【００３４】
他のユーザが居ると判断した場合（ステップＳ３７の判断結果が「ＮＯ」である場合）には、制御部２４は端末１０による複数スロットの使用不許可を決定する（ステップＳ３８）。一方、他のユーザが居ないと判断した場合（ステップＳ３７の判断結果が「ＹＥＳ」である場合）には、制御部２４は端末１０による複数スロットの使用許可を決定する（ステップＳ３９）。
【００３５】
次に、制御部２４は、ネットワークＮを介して、基地局２０についてのフレーム中におけるスロットの使用状況を示す統計情報の取得要求を送信してサーバ３０から統計情報を取得する（ステップＳ４０）。制御部２４は、取得した統計情報に基づいて、連続通信可能区間を決定する（ステップＳ４１）。例えば、統計情報に基づいて１フレーム中におけるスロットの使用率が高い時間帯である場合には短めの連続通信可能区間を決定し、使用率が低い時間帯である場合には長めの連続通信可能区間を決定する。以上の処理を終えると、制御部２４はステップＳ３８又はステップＳ３９及びステップＳ４１で決定した情報を端末１０に向けて送信する（ステップＳ４２）。
【００３６】
基地局２０から送信された情報を受信すると、端末１０の制御部１４は、基地局２０で複数スロットの使用を許可する決定がなされたか否かを判断する（ステップＳ４３）。複数スロットの使用を不許可とする決定がなされている場合（ステップＳ４３の判断結果が「ＮＯ」である場合）には、端末１０は通常のＴＤＭＡ通信を行って基地局２０に対してデータを送信する（ステップＳ３３）。次いで、端末１０の制御部１４は、送信すべき全データの送信が終了したか否かを判断し（ステップＳ３４）、終了したと判断した場合（判断結果が「ＹＥＳ」である場合）には一連の処理が終了し、終了していないと判断した場合（判断結果が「ＮＯ」である場合）にはステップＳ３１の処理に戻る。
【００３７】
一方、複数スロットの使用を許可とする決定がなされている場合（ステップＳ４３の判断結果が「ＹＥＳ」である場合）には、基地局２０で決定された連続通信可能区間内で、１フレーム中の複数のスロットを用いて基地局２０に対してデータを送信する（ステップＳ４４）。次いで、端末１０の制御部１４は、送信すべき全データの送信が終了したか否かを判断し（ステップＳ３４）、終了したと判断した場合（判断結果が「ＹＥＳ」である場合）には一連の処理が終了し、終了していないと判断した場合（判断結果が「ＮＯ」である場合）にはステップＳ３１の処理に戻る。
【００３８】
以上説明した通り、本実施形態では、端末１０が基地局２０に対してフレームに含まれるスロットの複数の使用を要求する要求信号を送信し、基地局２０でフレームに含まれるスロットの複数の使用許可がなされた場合に、端末１０が複数のスロットを用いて基地局２０にデータを送信しているため、空きの通信リソースを効率的に使用することができ、この結果として大容量通信を可能とすることができる。
【００３９】
以上、本発明の一実施形態による通信システム、基地局装置、端末装置、及び通信制御方法について説明したが、本発明は上記実施形態に制限されることなく、本発明の範囲内で自由に変更が可能である。例えば、上記実施形態ではサーバ３０が各基地局の統計情報を記録するようにしていたが、基地局が自らの統計情報を記録するようにしてもよい。
【図面の簡単な説明】
【００４０】
【図１】本発明の一実施形態による通信システム、基地局装置、及び端末装置の構成を示すブロック図である。
【図２】無線信号を送受信する単位であるフレームの構成を示す図である。
【図３】本発明の通信システムの第１動作例を示すフローチャートである。
【図４】本発明の通信システムの第２動作例を示すフローチャートである。
【符号の説明】
【００４１】
１０    端末
１３    キャリアセンス判定部
１４    制御部
２０    基地局
２３    キャリアセンス判定部
２４    制御部
３０    サーバ
３１    記録装置
【図１】
2008035212.tif 000003
【図２】
2008035212.tif 000004
【図３】
2008035212.tif 000005
【図４】
2008035212.tif 000006